(57)【要約】【課題】中蓋と上蓋により、二層式に収納部を構成したバッグを提供する。【解決手段】バッグ本体と、該バッグ本体の開口部に設けられ開閉機構を有する中蓋と、該中蓋の上方を覆うように設けられた上蓋とから構成されたことを特徴とする。【選択図】図１
2004000362.tif 000002
【特許請求の範囲】
【請求項１】
持ち手あるいは肩掛け部材を有するバッグ本体と、該バッグ本体の開口部に設けられ開閉機構を有する中蓋と、該中蓋の少なくとも中央部上方を覆うように設けられた上蓋とから構成され、中蓋によりバッグ中空に中空収納部を構成することを特徴とする二段蓋式バッグ。
【請求項２】
中蓋が防水性素材よりなることを特徴とする請求項１請求項１記載の二段蓋式バッグ。
【請求項３】
中蓋が開閉部を閉じた状態で垂下部材と該垂下部材下辺に設けられた底部材とで構成されていることを特徴とする請求項１又は２記載の二段蓋式バッグ。
【請求項４】
中蓋に設けられた第二開口部と該第二開口部から収納部を具備したことを特徴とする請求項１、２又は３記載の二段蓋式バッグ。
【請求項５】
中蓋に設けられた手挿入部と、バッグ内部の前記手挿入部の下位置に設けられた内側収納部を具備したことを特徴とする請求項１、２、３又は４記載の二段蓋式バッグ。
【請求項６】
中蓋の開閉機構が中蓋に収納物を収納した状態でバッグ本体の収納物を取り出せる位置に設けられたことを特徴とする請求項１、２、３、４又は５記載の二段蓋式バッグ。
【発明の詳細な説明】
【０００１】
【発明の属する技術分野】
本発明は、中蓋と上蓋により、二層式に収納部を構成した二段蓋式バッグに関する。
【０００２】
【従来の技術】
従来、買い物に使用するバッグとしては、蓋の有無に関わらずバッグ本体の底を支持部材として収納部が構成されている。また、仕切り材やポケットにより、複数の収納部を構成するものもあった。
買い物以外のその他バッグにおいては、バッグ中間部に中底が設けられ、中底位置より下の外側面に開閉機構が設けられ、二層式となったものがあった。
【０００３】
【発明が解決しようとする課題】
これには次のような欠点があった。
買い物をする場合、缶詰や硬質の容器に入った硬質の商品がある一方、卵のように割れやすい商品、パンやケーキなどのように形状が変形しやすかったり崩れる軟質な商品等様々な商品を一度に収納する必要性が生じる。
収納部が一箇所のものにおいては、下に硬質の商品、上に壊れやすかったり柔らかい商品というように、収納場所及び順序に気を使い、手間隙がかかっていた。また、上記方法で収納したとしても、全ての商品の形状が一定でないため、移動の最中に配置が崩れ、卵を割ったり、商品を変形させることがあった。
横方向の仕切りやポケットにより、収納部を複数設けたものにおいては、横同士の圧力によりやはり同様に商品を割ったり、商品を変形させることがあった。
中底があり、側面の開口機構により構成されるものにおいては、上下の空間を使うので、横同士の圧力を分散させることはできるが、その操作性に欠けていた。本発明は、以上の欠点を解決するためのものである。
【０００４】
【課題を解決するための手段】
持ち手あるいは肩掛け部材を有するバッグ本体と、該バッグ本体の開口部に設けられ開閉機構を有する中蓋と、該中蓋の少なくとも中央部上方を覆うように設けられた上蓋とから構成され、中蓋によりバッグ中空に中空収納部を構成するようにする。
【０００５】
【発明の実施の形態】
以下、本発明の第一の実施の形態を図１から図５をもちいて説明する。
本発明は、中蓋を利用して、二層式に収納できるバッグである。把手（３）のついたバッグ本体（１）に、スナップ（７）で開閉する上蓋（５）が設けられている。また、バッグ本体（１）の開口部（２）のから中蓋（４）が設けられている。本事例においては把手によるバッグを例としてあげているが、肩掛け式などその他バッグでも利用可能なものである。
この中蓋（４）は、開口部（２）に対して大きな形状となっており、バッグ内側で中間収納部（１２）を構成するように垂下している。図における事例においては、４つの垂下部材（９）が開口部から設けられており、その下辺に底部材（１０）が設けられている。これにより、底部材がほぼ水平となる中間収納部（１２）が構成される。
底部材は、ファスナー（６）により開閉できるようになっている。
また、垂下部材（９）には切り込みによる手挿入部（８）が設けられている。また、図４に示すように、バッグ内側の手挿入部（８）の下位置にはポケット状の内側収納部（１１）が設けられている。この位置に関しては、中間収納部（１１）に商品を収納した状態で、手が挿入できる位置であればどこでもよい。
中蓋（４）の素材は柔軟なものが適しているが、例えば防水性素材よりなり、ファスナー部も防水構造とすることも可能である。これにより、外圧により中間収納部の商品が割れた場合、その中身が例え液体などであった場合、バッグ本体ないの商品を汚すことを防ぐことができる。
本発明は以上の構造よりなり、以下のように使用する。
図２に示すように、上蓋（５）を開き中蓋のファスナーを開ける。この状態で買い物した商品を入れる。この際、下に固い箱に入った商品や缶、ビンなどの潰れたり変形しないものがくるようにする。
次に中蓋のファスナーを閉め中間収納部（１２）を構成したうえで、ここに卵パック（１６）等の割れやすいものを収納する。次に、中間収納部の収納物が落ちないように上蓋（５）をスナップ（７）で反対側面の受け側スナップに止める。収納した商品を取り出すときは、中間収納部の商品を取りはすした状態で中蓋（４）のファスナー（５）をあけ、バッグ本体（１）に収納された商品を取り出す。
また、部屋や自転車のキー、財布などは、内側収納部（１１）に入れておくことにより、収納した商品を取り出すことなくバッグ内から取り出すことができる。これにより、第三者がバッグ内の財布を取り出すなどの盗難の事態も解消することができる。
図５に示す実施状態は、バッグ本体からこぼれるくらいの量の収納物を収納した場合である。この際、中蓋が図５に示すように上方向に盛り上がり、収納物がこぼれるのを防ぐ役割も果たす。
また、本事例においては、ファスナーを中蓋の中央位置に設けたもので説明しているが、位置はこれに限定されるものではない。例えば、バッグ本体開口部付近に設けた場合、中間収納部に商品を収納した状態で、バッグ本体の商品を取り出すことが可能となるメリットが生まれる。
【０００６】
以下、本発明の第二の実施の形態について図６、図７を利用して説明する。
これは、中蓋に第二ファスナー（１３）で開閉するポケット状の第二収納部（１４）を設けたものである。この第二収納部（１４）は図７に示すようにバッグ本体の収納部の上部空間に、中蓋（４）の下にぶら下がるようになっており、別の収納部として利用することが可能となる。
【０００７】
その他事例について、以下説明する。
図８に示すのは、中蓋の構造が異なるものである。これはシート状になっており、中蓋スナップ（１５）でバッグ本体（１）の上部で着脱できるようにしたものである。
また、上蓋に関しても、図に示された形状に限定されず、中間収納部に商品を収納した状態で使用できる構造であればよく、ファスナーで開閉するような通常の蓋構造とするなど、各種構造が可能である。
また中蓋、上蓋の開閉機構、着脱機構に関しても、本事例に限定されるものではなく、面ファスナー、ボタン等目的を達成するものであればよい。
【０００８】
以上、各実施の形態を説明したが、本発明はこれら実施の条件に限定されるものではない。
【０００９】
【発明の効果】
バッグ本体の開口部に設けられ開閉機構を有しバッグ中空に中空収納部を構成する中蓋と、該中蓋の少なくとも中央部上方を覆うように設けられた上蓋との構成によりバッグを上下に位置する二層収納構造を構成し、中空収納部に割れやすい商品や変形、崩れやすい商品を収納することにより、商品の保護を図ることができる。
中蓋を防水性素材にすることにより、万が一その他圧力により卵が割れても、下に位置する商品を汚すことがない。
中蓋を、中蓋が開閉部を閉じた状態で垂下部材と該垂下部材下辺に設けられた底部材とで構成することにより、水平に近い底を形成することができ、より商品の位置安定性を向上させることができる。
中蓋に設けられた第二開口部と該第二開口部から収納部を具備することにより、鍵などを簡単にバッグに収納させることができる。また、この収納部が中蓋の下位置にあり中空で浮いたものである場合、三層の収納構造を形成する。これにより、より多くの商品の分配収納が可能となる。
中蓋に設けられた手挿入部と、バッグ内部の前記手挿入部の下位置に設けられた内側収納部を具備することにより、中蓋を綴じた状態で、中の収納部に収納したものを取り出すことができる。
中蓋の開閉機構が中蓋に収納物を収納した状態でバッグ本体の収納物を取り出せる位置に設けることにより、中間収納物をいちいち取り出すことなくバッグ本体の収納物をとりだすことができる。
【図面の簡単な説明】
【図１】本発明の斜視図
【図２】本発明の斜視図
【図３】本発明の平面図
【図４】本発明の使用状態を示す側面断面図
【図５】本発明の使用状態を示す側面図
【図６】本発明の他の実施形態を示す平面図
【図７】本発明の他の実施形態の側面図
【図８】本発明の他の実施形態の使用状態図
【符号の説明】
１．バッグ本体
２．開口部
３．把手
４．中蓋
５．上蓋
６．ファスナー
７．スナップ
８．手挿入部
９．垂下部材
１０．底部材
１１．内側収納部
１２．中空収納部
１３．第二ファスナー
１４．第二収納部
１５．中蓋スナップ
１６．卵パック
【図１】
2004000362.tif 000003
【図２】
2004000362.tif 000004
【図３】
2004000362.tif 000005
【図４】
2004000362.tif 000006
【図５】
2004000362.tif 000007
【図６】
2004000362.tif 000008
【図７】
2004000362.tif 000009
【図８】
2004000362.tif 000010